(57)【要約】【課題】繰り返し使用しても把持部の把持力が低下し難いデンタルインプラント手術器具用エクステンダーを提供することである。【解決手段】延長部２および把持部３を備え、把持部３は、延長部２の先端部２ａに接続しており略四角形状の底領域を有する底部と、底領域の４辺にそれぞれ接続しており中心軸に沿って延びている第１、第２、第３および第４壁部を順に有する壁部と、を備え、第１壁部は、その先端部から底領域に延びている一対のスリット部と、一対のスリット部の間に位置している弾性変形可能な中央壁部と、を有し、互いに対向している中央壁部および第３壁部の間の距離をＬ１、互いに対向している第２および第４壁部の間の距離をＬ２としたとき、Ｌ１およびＬ２が、Ｌ１＜Ｌ２の関係を有する、デンタルインプラント手術器具用エクステンダー１である。【選択図】図１
0003180824.tif 000002
【実用新案登録請求の範囲】
【請求項１】
略柱状の延長部と、
前記延長部の先端部に位置している把持部と、を備え、
前記把持部は、
前記延長部の前記先端部に接続しており、略四角形状の底領域を有する底部と、
前記底領域の４辺にそれぞれ接続しており、前記延長部の後端部および前記底部を貫く中心軸に沿って延びている第１、第２、第３および第４壁部を順に有する壁部と、を備え、
前記第１壁部は、
その先端部から前記底領域に延びている一対のスリット部と、
前記一対のスリット部の間に位置している弾性変形可能な中央壁部と、を有し、
前記把持部の先端視において、互いに対向している前記中央壁部および前記第３壁部の間の距離をＬ１、互いに対向している前記第２および第４壁部の間の距離をＬ２としたとき、前記Ｌ１および前記Ｌ２は、Ｌ１＜Ｌ２の関係を有する、デンタルインプラント手術器具用エクステンダー。
【請求項２】
前記把持部によって把持される被把持部は、略正四角柱状であり、
前記被把持部の先端に位置している端面の１辺の長さをＭとしたとき、前記Ｌ１および前記Ｌ２ならびに前記Ｍは、Ｌ１＜Ｌ２＝Ｍの関係を有する、請求項１に記載のデンタルインプラント手術器具用エクステンダー。
【請求項３】
前記把持部の先端視において、前記中央壁部の厚さは、前記第２〜第４壁部のそれぞれの厚さよりも薄い、請求項１または２に記載のデンタルインプラント手術器具用エクステンダー。
【請求項４】
前記把持部の先端視において、前記壁部の外面は、略円形状であるとともに、前記第１壁部に対応する領域に切り欠き部を有する、請求項１〜３のいずれかに記載のデンタルインプラント手術器具用エクステンダー。
【請求項５】
前記第１壁部は、前記一対のスリット部を介して前記中央壁部の両側に位置している一対の側壁部をさらに有し、
前記把持部の先端視において、互いに対向している前記一対の側壁部および前記第３壁部の間の距離をＬ３としたとき、前記Ｌ１〜Ｌ３は、Ｌ１＜Ｌ２＝Ｌ３の関係を有する、請求項１〜４のいずれかに記載のデンタルインプラント手術器具用エクステンダー。
【請求項６】
前記第１壁部は、前記一対のスリット部を介して前記中央壁部の両側に位置している一対の側壁部をさらに有し、
前記把持部の先端視において、前記中央壁部の内面の長さは、前記一対の側壁部のそれぞれの内面の長さの合計よりも大きい、請求項１〜５のいずれかに記載のデンタルインプラント手術器具用エクステンダー。
【請求項７】
前記把持部の先端視において、前記中央壁部の内面の長さは、前記第３壁部の内面の長さと同一である、請求項１〜６のいずれかに記載のデンタルインプラント手術器具用エクステンダー。
【請求項８】
前記把持部は、前記延長部と一体に成形されている、請求項１〜７のいずれかに記載のデンタルインプラント手術器具用エクステンダー。
【請求項９】
前記把持部の先端視において、前記壁部の内面は、略四角形状であるとともに、４つのコーナ部近傍がいずれも外方に凸の曲線状である、請求項１〜８のいずれかに記載のデンタルインプラント手術器具用エクステンダー。
【請求項１０】
前記壁部は、その先端部と内面との交差部を面取りしてなる面取り部をさらに有する、請求項１〜９のいずれかに記載のデンタルインプラント手術器具用エクステンダー。
【考案の詳細な説明】
【技術分野】
【０００１】
本考案は、デンタルインプラント手術器具用エクステンダーに関する。
【背景技術】
【０００２】
デンタルインプラント手術器具用エクステンダー（以下、「エクステンダー」と言うことがある。）は、ドライバーホルダー等の器具にドライバーアタッチメント等の治具を取り付けたデンタルインプラント手術器具において、器具および治具の間を中継ぎし、治具の到達距離を延ばす部材である（例えば、非特許文献１参照）。このようなエクステンダーは、通常、治具が備える略正四角柱状の被把持部を把持する把持部を備えている。この把持部の把持力は、繰り返し使用しても低下し難いのが望ましい。
【先行技術文献】
【非特許文献】
【０００３】
【非特許文献１】“インプラントの用語集２”、［online］、大阪・アーティスティックデンタルクリニック、［平成２４年１０月１９日検索］、インターネット＜URL:http://www.implant-osaka.com/glossary/e/extender/index.html＞
【考案の概要】
【考案が解決しようとする課題】
【０００４】
本考案の課題は、繰り返し使用しても把持部の把持力が低下し難いデンタルインプラント手術器具用エクステンダーを提供することである。
【課題を解決するための手段】
【０００５】
本考案者らは、上記課題を解決すべく鋭意研究を重ねた結果、以下の構成からなる解決手段を見出し、本考案を完成するに至った。
（１）略柱状の延長部と、前記延長部の先端部に位置している把持部と、を備え、前記把持部は、前記延長部の前記先端部に接続しており、略四角形状の底領域を有する底部と、前記底領域の４辺にそれぞれ接続しており、前記延長部の後端部および前記底部を貫く中心軸に沿って延びている第１、第２、第３および第４壁部を順に有する壁部と、を備え、前記第１壁部は、その先端部から前記底領域に延びている一対のスリット部と、前記一対のスリット部の間に位置している弾性変形可能な中央壁部と、を有し、前記把持部の先端視において、互いに対向している前記中央壁部および前記第３壁部の間の距離をＬ１、互いに対向している前記第２および第４壁部の間の距離をＬ２としたとき、前記Ｌ１および前記Ｌ２は、Ｌ１＜Ｌ２の関係を有する、デンタルインプラント手術器具用エクステンダー。
（２）前記把持部によって把持される被把持部は、略正四角柱状であり、前記被把持部の先端に位置している端面の１辺の長さをＭとしたとき、前記Ｌ１および前記Ｌ２ならびに前記Ｍは、Ｌ１＜Ｌ２＝Ｍの関係を有する、前記（１）に記載のデンタルインプラント手術器具用エクステンダー。
（３）前記把持部の先端視において、前記中央壁部の厚さは、前記第２〜第４壁部のそれぞれの厚さよりも薄い、前記（１）または（２）に記載のデンタルインプラント手術器具用エクステンダー。
（４）前記把持部の先端視において、前記壁部の外面は、略円形状であるとともに、前記第１壁部に対応する領域に切り欠き部を有する、前記（１）〜（３）のいずれかに記載のデンタルインプラント手術器具用エクステンダー。
（５）前記第１壁部は、前記一対のスリット部を介して前記中央壁部の両側に位置している一対の側壁部をさらに有し、前記把持部の先端視において、互いに対向している前記一対の側壁部および前記第３壁部の間の距離をＬ３としたとき、前記Ｌ１〜Ｌ３は、Ｌ１＜Ｌ２＝Ｌ３の関係を有する、前記（１）〜（４）のいずれかに記載のデンタルインプラント手術器具用エクステンダー。
（６）前記第１壁部は、前記一対のスリット部を介して前記中央壁部の両側に位置している一対の側壁部をさらに有し、前記把持部の先端視において、前記中央壁部の内面の長さは、前記一対の側壁部のそれぞれの内面の長さの合計よりも大きい、前記（１）〜（５）のいずれかに記載のデンタルインプラント手術器具用エクステンダー。
（７）前記把持部の先端視において、前記中央壁部の内面の長さは、前記第３壁部の内面の長さと同一である、前記（１）〜（６）のいずれかに記載のデンタルインプラント手術器具用エクステンダー。
（８）前記把持部は、前記延長部と一体に成形されている、前記（１）〜（７）のいずれかに記載のデンタルインプラント手術器具用エクステンダー。
（９）前記把持部の先端視において、前記壁部の内面は、略四角形状であるとともに、４つのコーナ部近傍がいずれも外方に凸の曲線状である、前記（１）〜（８）のいずれかに記載のデンタルインプラント手術器具用エクステンダー。
（１０）前記壁部は、その先端部と内面との交差部を面取りしてなる面取り部をさらに有する、前記（１）〜（９）のいずれかに記載のデンタルインプラント手術器具用エクステンダー。
【考案の効果】
【０００６】
本考案によれば、把持部の把持力が繰り返し使用しても低下し難く、長期にわたって安定した把持力でドライバーアタッチメント等の治具を把持できるという効果がある。
【図面の簡単な説明】
【０００７】
【図１】本考案の一実施形態に係るデンタルインプラント手術器具用エクステンダーを使用したデンタルインプラント手術器具およびフィクスチャーを示す分解側面図である。
【図２】図１に示すデンタルインプラント手術器具用エクステンダーを示す図であり、（ａ）および（ｂ）は互いに異なる角度から見た拡大斜視図、（ｃ）は拡大側面図である。
【図３】図１に示すデンタルインプラント手術器具用エクステンダーを示す拡大平面図である。
【図４】図１に示すデンタルインプラント手術器具が備えるドライバーアタッチメントを示す図であり、（ａ）は拡大斜視図、（ｂ）は拡大側面図、（ｃ）は（ｂ）のＸ矢視平面図である。
【図５】図１に示すデンタルインプラント手術器具が備えるドライバーホルダーを示す図であり、（ａ）は拡大斜視図、（ｂ）は拡大側面図、（ｃ）は拡大平面図である。
【考案を実施するための形態】
【０００８】
以下、本考案の一実施形態に係るデンタルインプラント手術器具用エクステンダーについて、図１〜図５を参照して詳細に説明する。
【０００９】
図１に示すように、本実施形態のエクステンダー１は、略円盤状のドライバーホルダー１１０および略柱状のドライバーアタッチメント１２０を備えるデンタルインプラント手術器具１００において、両部材の間を中継ぎし、ドライバーアタッチメント１２０の到達距離を延ばす部材である。本実施形態のエクステンダー１は、略柱状の延長部２と、延長部２の先端部２ａに位置している把持部３と、を備えている。
【００１０】
本実施形態の延長部２は、略円柱状である。なお、延長部２の形状は略円柱状に限定されるものではなく、例えば四角柱状等の多角柱状にすることもできる。
【００１１】
また、本実施形態の延長部２は、所定の長さを有する。延長部２の長さは、ドライバーアタッチメント１２０の到達距離に対応していることから、延長部２の長さを調節することによって、ドライバーアタッチメント１２０の到達距離を調整することができる。
【００１２】
一方、本実施形態の把持部３は、ドライバーアタッチメント１２０が備える被把持部１２２を把持する部位であり、延長部２と一体に成形されている。本実施形態の把持部３は、図２に示すように、延長部２の先端部２ａに接続している底部４と、底部４から立ち上がっている壁部５と、を備えている。
【００１３】
本実施形態の底部４は、略円盤状であるとともに、その両面のうち延長部２側に位置している片面の縁部４１を全周にわたって面取りしている。また、本実施形態の底部４は、上述した片面の反対側に位置している他面の略中央部において、底領域４２を有する。
【００１４】
本実施形態の底領域４２は、略四角形状であるとともに、その略中央部に位置している円錐状の加工痕４２１を有する。本実施形態の加工痕４２１は、把持部３を形成するときに用いるドリルによって形成されるものである。すなわち、本実施形態では、把持部３を切削加工によって形成する。
【００１５】
具体的に説明すると、まず、把持部用の部材の先端中央部に、円柱形状の有底孔を、ドリルによって形成する。このとき、ドリルの先端部によって孔底面のうち略中央部に位置している部位に円錐状の加工痕４２１が形成される。そして、形成した有底孔の内径を所定の切削工具によって四角形状に拡径し、上述した底領域４２を有する把持部３を形成する。
【００１６】
このような把持部３が備える本実施形態の壁部５は、図３に示すように、第１壁部５１、第２壁部５２、第３壁部５３および第４壁部５４を順に有する。本実施形態の第１〜第４壁部５１〜５４は、底領域４２の４辺にそれぞれ接続しており、中心軸Ｓに沿って延びている。言い換えれば、本実施形態の第１〜第４壁部５１〜５４は、底領域４２の４辺にそれぞれ接続しており、中心軸Ｓに対して平行に延びている。中心軸Ｓとは、図２に示すように、延長部２の後端部２ｂおよび底部４を貫く軸であり、図３に示すように、把持部３の先端視において、エクステンダー１を回転させたときに回転軸となる軸を意味するものとする。
【００１７】
また、本実施形態の第１〜第４壁部５１〜５４は、順に隣接している。したがって、本実施形態では、第１壁部５１および第３壁部５３が互いに対向し、第２壁部５２および第４壁部５４が互いに対向している。
【００１８】
第１〜第４壁部５１〜５４のうち第１壁部５１は、その先端部５１ａから底領域４２に延びている一対のスリット部５１１，５１１と、一対のスリット部５１１，５１１の間に位置している弾性変形可能な中央壁部５１２と、を有する。
【００１９】
本実施形態の一対のスリット部５１１，５１１は、その間に位置している中央壁部５１２を弾性変形可能にさせる部位であり、これにより本実施形態の中央壁部５１２は、内外方向に弾性変形可能となっている。なお、本実施形態では、第３壁部５３の両側にスリット状の一対の溝部５３１，５３１が存在しているが、この一対の溝部５３１，５３１は、一対のスリット部５１１，５１１の形成に伴って形成されているものであり、第３壁部５３を弾性変形可能にさせる部位ではない。
【００２０】
ここで、本実施形態では、把持部３の先端視において、互いに対向している中央壁部５１２および第３壁部５３の間の距離をＬ１、互いに対向している第２壁部５２および第４壁部５４の間の距離をＬ２とする。Ｌ１およびＬ２はいずれも、第１〜第４壁部５１〜５４の内面間の距離のことを意味するものとする。そして、本実施形態では、上述したＬ１およびＬ２が、Ｌ１＜Ｌ２の関係を有する。このような構成によれば、以下のような効果が得られる。
【００２１】
すなわち、図４に示すように、ドライバーアタッチメント１２０の被把持部１２２を略正四角柱状にし、被把持部１２２の先端に位置している端面１２２ａの１辺の長さをＭとしたとき、Ｌ１およびＬ２ならびにＭが、Ｌ１＜Ｌ２＝Ｍの関係を有するようにすれば、被把持部１２２を把持部３に挿入したとき、中央壁部５１２が外方に弾性変形するようになる。そして、被把持部１２２の４つの側面のうち中央壁部５１２に対向している１つが中央壁部５１２によって第３壁部５３側に押し付けられ、残りの３つが第２〜第４壁部５２〜５４によって拘束されるようになる。このような状態で、把持部３が被把持部１２２を把持すると、把持部３の把持力が繰り返し使用しても低下し難くなるという効果が得られる。この理由としては、中央壁部５１２に金属疲労が起こり難くなることに起因していると推察される。
【００２２】
中央壁部５１２を弾性変形可能とするには、上述した一対のスリット部５１１，５１１に加えて、例えば中央壁部５１２の厚さを調整すればよい。本実施形態では、図３に示すように、把持部３の先端視において、中央壁部５１２の厚さＤ１が、第２〜第４壁部５２〜５４のそれぞれの厚さＤ２〜Ｄ４よりも薄い。
【００２３】
中央壁部５１２の厚さＤ１としては、被把持部１２２を把持部３に挿入したとき、中央壁部５１２が弾性変形可能になる値を採用すればよい。第２〜第４壁部５２〜５４のそれぞれの厚さＤ２〜Ｄ４としては、被把持部１２２を把持部３に挿入したとき、被把持部１２２の側面を拘束できる値を採用すればよい。本実施形態では、第２〜第４壁部５２〜５４のそれぞれの厚さＤ２〜Ｄ４は、互いに同一である。
【００２４】
また、本実施形態では、把持部３の先端視において、壁部５の外面５５が、略円形状であるとともに、第１壁部５１に対応する領域に切り欠き部５５１を有する。このような構成によれば、中央壁部５１２の厚さＤ１を、比較的簡単に第２〜第４壁部５２〜５４のそれぞれの厚さＤ２〜Ｄ４よりも薄くすることができる。
【００２５】
また、本実施形態では、第１壁部５１は、一対のスリット部５１１，５１１を介して中央壁部５１２の両側に位置している一対の側壁部５１３，５１３をさらに有する。そして、把持部３の先端視において、互いに対向している一対の側壁部５１３，５１３および第３壁部５３の間の距離をＬ３としたとき、Ｌ１〜Ｌ３は、Ｌ１＜Ｌ２＝Ｌ３の関係を有する。このような構成によれば、被把持部１２２を把持部３に挿入したとき、被把持部１２２の中央壁部５１２に対向している側面のうち両側に位置している部位が、一対の側壁部５１３，５１３に当接して拘束されるようになることから、把持部３の把持性を向上させることができる。
【００２６】
本実施形態では、中央壁部５１２の強度を維持する上で、把持部３の先端視において、中央壁部５１２の内面の長さＷ１が、一対の側壁部５１３，５１３のそれぞれの内面の長さの合計よりも大きい。また、本実施形態では、把持部３の先端視において、中央壁部５１２の内面の長さＷ１が、第３壁部５３の内面の長さＷ２と同一である。
【００２７】
本実施形態では、把持部３の先端視において、壁部５の内面５６は、略四角形状であるとともに、４つのコーナ部５６１近傍がいずれも外方に凸の曲線状である。このような構成によれば、被把持部１２２を把持部３に挿入するとき、被把持部１２２のコーナ部が壁部５の内面５６と接触するのを抑制することができる。
【００２８】
本実施形態の壁部５は、その先端部５ａと内面５６との交差部を面取りしてなる面取り部５７をさらに有する。このような構成によれば、被把持部１２２を把持部３にスムーズに挿入することができる。
【００２９】
上述した本実施形態のエクステンダー１は、ドライバーホルダー１１０およびドライバーアタッチメント１２０の間を中継ぎする部材として機能する。具体的に説明すると、図５に示すように、ドライバーホルダー１１０は、その略中央部に位置している貫通孔１１１を有する。
【００３０】
一方、本実施形態のエクステンダー１は、図１および図２に示すように、延長部２の後端部２ｂに位置している略四角柱状の被固定部６をさらに備えている。本実施形態のエクステンダー１は、被固定部６をドライバーホルダー１１０の貫通孔１１１に挿入することによって、ドライバーホルダー１１０に取り付けられる。
【００３１】
また、本実施形態のエクステンダー１は、上述した通り、ドライバーアタッチメント１２０の被把持部１２２を把持部３によって把持することで、ドライバーアタッチメント１２０を保持することができる。したがって、本実施形態のエクステンダー１は、ドライバーホルダー１１０およびドライバーアタッチメント１２０の間を中継ぎする部材として機能する。
【００３２】
なお、上述したドライバーアタッチメント１２０は、図１および図４に示すように、本体部１２１を有する。ドライバーアタッチメント１２０の被把持部１２２は、本体部１２１の後端部１２１ｂに位置している。また、ドライバーアタッチメント１２０は、本体部１２１の先端部１２１ａに位置している保持部１２３をさらに有する。本実施形態では、保持部１２３を介してフィクスチャー２００がドライバーアタッチメント１２０に保持される。
【００３３】
以下、実施例を挙げて本考案を詳細に説明するが、本考案は以下の実施例のみに限定されるものではない。
【００３４】
上述の実施形態に係るエクステンダー１について、繰り返し把持力の試験を行った。試験に用いたエクステンダー１の構成および試験方法を、以下に示す。
【００３５】
＜エクステンダー１の構成＞
Ｌ１：３．９５ｍｍ
Ｌ２：４．００ｍｍ
構成材料：ステンレス鋼（ＳＵＳ）３０４
その他の構成は、上述した図１〜図３に示す通りである。
【００３６】
＜繰り返し把持力の試験方法＞
測定に用いたスクリューフォーマーおよび把持力測定器は、以下の通りである。
スクリューフォーマー：京セラメディカル（株）製の「ＴＰ  ５２−Ｓ（Ｎ）５２」
把持力測定器：日本電産シンポ（株）製の「プッシュプルゲージＦＧＰ−５」
【００３７】
上述したスクリューフォーマーは、エクステンダー１の把持部３によって把持される治具であり、略正四角柱状の被把持部を有する。まず、この被把持部がバイスから露出するように、スクリューフォーマーをバイスに垂直固定した。次に、バイスから露出している被把持部をエクステンダー１の把持部３によって把持した。そして、エクステンダー１の被固定部６を把持力測定器に接続するとともに、スクリューフォーマーの被把持部から把持部３を垂直方向に引き抜くことによって、エクステンダー１の把持力を測定した。この測定を合計３００回行い、繰り返し把持力を評価した。その結果を、表１に示す。
【００３８】
【表１】
0003180824.tif 000003
【００３９】
表１から明らかなように、エクステンダー１は、数回から２００回程度繰り返し把持しても一定の把持力を維持できているのがわかる。
【００４０】
以上、本考案に係る好ましい実施形態について例示したが、本考案は上述した実施形態に限定されるものではなく、本考案の要旨を逸脱しない限り任意のものとすることができることは言うまでもない。
【００４１】
例えば、上述の実施形態においては、器具であるドライバーホルダー１１０と治具であるドライバーアタッチメント１２０との間をエクステンダー１によって中継ぎしているが、治具が略正四角柱状の被把持部を備えている限り、エクステンダー１によって中継ぎする器具および治具は、これらに限定されるものではない。ドライバーホルダー１１０以外の他の器具としては、例えば電動器具用ドライバーホルダー、トルクレンチ用アダプタ等が挙げられる。また、ドライバーアタッチメント１２０以外の他の治具としては、例えばスクリューフォーマー、ボーンスプレッター等が挙げられる。
【符号の説明】
【００４２】
１  デンタルインプラント手術器具用エクステンダー
２  延長部
２ａ  先端部
２ｂ  後端部
３  把持部
４  底部
４１  縁部
４２  底領域
４２１  加工痕
５  壁部
５１  第１壁部
５１ａ  先端部
５１１  スリット部
５１２  中央壁部
５１３  側壁部
５２  第２壁部
５３  第３壁部
５３１  溝部
５４  第４壁部
５５  外面
５５１  切り欠き部
５６  内面
５６１  コーナ部
５７  面取り部
６  被固定部
１００  デンタルインプラント手術器具
１１０  ドライバーホルダー
１１１  貫通孔
１２０  ドライバーアタッチメント
１２１  本体部
１２１ａ  先端部
１２１ｂ  後端部
１２２  被把持部
１２２ａ  端面
１２３  保持部
２００  フィクスチャー
【図１】
0003180824.tif 000004
【図２】
0003180824.tif 000005
【図３】
0003180824.tif 000006
【図４】
0003180824.tif 000007
【図５】
0003180824.tif 000008